(57)【要約】      （修正有）【課題】スタイルブックに載っている施術方法で施術してもスタイルブックのイメージを再現することができなかった。原因は、顔の形や大きさが違うために、同一の施術方法を行うと顔の大きさとヘアスタイルの大きさのバランスが崩れてしまい、まったく違うバランスのヘアスタイルができあがっていた。【解決手段】ヘアスタイルを作る上において目頭を通る水平線上で顔の横幅を測り、その数値から１５．３ｃｍを引き、差を測る。その違いが１ｃｍであった場合、その違いに３倍の数をかけ、３ｃｍとする。それを髪型見本に載っている長さに加えて施術する。採寸方法を立体採寸にすることで髪型の相似形を作り出すことができるようになる。お客様の顔のサイズに合わせることができるので、欠点をカバーすることができるようになる。【選択図】図１
2015136497.tif 000002
【特許請求の範囲】
【請求項１】
髪型見本の展開図に示された寸法に基づいて、客の顔の大きさに合わせて髪の切断長さを決める方法であって、前記客の目頭を通る水平線上における顔の幅を測定し、その測定値から１５．３ｃｍ（顔の平均的な幅）を引いた長さに３の倍数をかけ、前記髪型見本の展開図に示された寸法に、その長さを加えた長さを切断長さとすることを特徴とする客の髪の切断長さを決める方法。
【請求項２】
平均的顔の大きさ、形、横１５．３ｃｍ、縦２１．５ｃｍの卵型を基準にして、それぞれの顔の目頭を横切る水平線を基準にして、顔の幅を比較して大きさを測定することを特徴とする請求項１記載の髪の切断長さを決める方法。
【請求項３】
顔の大きさ、形に合わせて相似形のヘアスタイルを作るために、ヘアスタイルのサイズを変更してヘアスタイルを作り直すことを特徴とする請求項１または請求項２記載の髪の切断長さを決める方法。
【発明の詳細な説明】
【技術分野】
【０００１】
本発明は、髪型見本に掲載された髪型の相似形を作り出すために、客の顔の形、大きさを測定し、その大きさ形に合わせた髪の長さを決める方法に関する。
【背景技術】
【０００２】
従来、客の髪の長さを決める場合において、図４にあるように、髪型見本に載っている展開図の長さで施術すれば、髪型見本と同じように仕上がると考えられていた。しかし、図２にあるように、平面的な採寸方法であるため、顔の形、大きさが違うことで、顔の体積と髪型体積のバランスに違いができ、まったく違うイメージに仕上がっていた。
【発明の概要】
【発明が解決しようとする課題】
【０００３】
髪型見本に載っている施術の採寸方法が直線的であり、平面的であるために顔の大きさと髪型の大きさのバランスが崩れ、仕上がりのイメージが違ってしまう。曲線的かつ立体的な採寸方法を取り入れて、髪型見本と相似形のバランスを作り、同じイメージを作り出す方法である。
【０００４】
図４にあるように髪型見本の展開図に載っている長さで施術すると、髪型見本のモデルの顔の大きさとお客様の顔の大きさとの違いから、必ず小さな髪型になり、結果的に切りすぎになり、客からの苦情が絶えなかった。
【０００５】
また、髪型の大きさを変えるための採寸方法が、平面採寸によるものなので、立体にした時には短くなってしまっていた。
【課題を解決するための手段】
【０００６】
本発明は上記課題を解決するためになされたもので、請求項１記載の発明は、髪型見本の展開図に示された寸法に基づいて、客の髪の切断長さを決める方法であって、前記客の目頭を通る水平線上における顔の幅を測定し、その測定値から１５．３ｃｍを引いた長さに３倍の数をかけて差を測る。前記髪型見本の展開図に示された寸法にその長さを加え再設定する。顔の大きさ、形の違いを見据え、客の髪の切断長さを決める方法である。
【０００７】
顔の大きさ、形の違いを見据え、髪の切断長さを変えることで髪型見本に載っている髪型の相似形を作り出すことができる。
【０００８】
毛髪をパネル状にして長さを決めた場合、図５にあるように一部分の面積しか増えないために相似形にはならない。
【０００９】
一辺が２０ｃｍの正方形の面積は２０×２０＝４００平方センチメートルになります。その正方形の一辺の長さを、縦横１ｃｍずつ長くすると２１×２１＝４４１平方センチメートルになります。５％の長さの違いは、面積にすると１０．２５％増えます。これが立体になると２１×２１×２１=９２６１立方センチメートルになります。２０センチの立体は、８０００立方センチメートルになるために、１５．７６２５％増えることになります。相似形のヘアスタイルを作り出すには、髪型見本の長さに、顔の横幅の長さの違いに約３倍をかけ、その長さを加えて施術する必要がある。
【発明の効果】
【００１０】
本発明は上記の方法を採用することにより、切りすぎを防ぐことができ、髪型見本に似た髪型が得られ、客からの苦情が少なくなるという効果を発揮する。そして、髪型見本をもとに髪型を作り出すことができるので、客とのコミュニケーションがはかれ、信頼関係が深まるという効果も発揮する。
【図面の簡単な説明】
【００１１】
【図１】本発明を実施するために使用する顔の大きさ測定器を表す図（顔の大きさを測る測定器。平均的な顔の卵型の中に顔を入れることで、どのぐらい大きさが違うかがわかるようになっている）。
【図２】従来の採寸方法を表すイメージ図（これは、毛髪をパネル状にして長さを変える今までの採寸方法で）。
【図３】従来の採寸方法の立体を表すイメージ図（パネル上にしたもの集めて立体にしたものである）。
【図４】本発明における測定方法を示す図（これは相似形を作るための採寸方法です。縦、横、奥行きそれぞれに長さを加え立体にしたものであり、縦、横、奥行きに体積が増しているので相似形を作り出すことができる）。
【図５】従来の髪型見本の施術方法の説明書を示す図。
【図６】顔の大きさを測定するイメージ図。
【発明を実施するための形態】
【００１２】
以下に本発明について具体例を上げて説明する。
縦２１，８センチ、横１５，３センチの理想の顔の形とお客の顔の形の大きさを比較する。本発明は、図１に示す顔の大きさ測定器1を用いると好都合である。顔の大きさ測定器1は縦横が３０センチの正方形で厚さ１ミリの透明なアクリル板に縦２１．８センチ、横１５．３センチの標準的な卵型をした穴２が形成されている。アクリル板には前記穴２の中心を通る横方向に基準線３が印刷されている。なお基準線には目盛が付されている。
材質は、アクリル板など透明なもの。
【００１３】
前記客の目頭を通る水平線上における顔の幅を測定し、その測定値から１５．３ｃｍを引いた長さに３倍の数をかけた数値を出す。前記髪型見本の展開図に示された寸法にその長さを加え再設定する。顔の大きさ、形の違いを見据え、客の髪の切断長さを決め施術する。
【産業上の利用可能性】
【００１４】
髪型見本を見て、髪型見本のイメージを再現できるようになる。大きさを変えることでお客の顔の形に合わせることができるので、いろいろな要求に対応できるようになる。お客様の信頼を獲得することができるようになる。
【００１５】
今まで作られていたヘアスタイルブックは、一つの施術方法の答えしかなかった。多くのヘアスタイルをいろいろなお客様に似合うようにできる。新しいヘアスタイルが出たときにサイズ合わせができると、講習に行かなくてもスタイリストがそのヘアスタイルを作り出すことができるようになる。顔のサイズを測ることで、そのサイズに合わせたヘアデザインが可能になる。
【符号の説明】
【００１６】
１  測定器
２  穴
３  基準線
１１  パネル１センチ増量部分
２１  パネル１センチ増量部分の立体化
３１  奥行増量部分
３２  縦増量部分
３３  横増量部分
４１  本人の卵型の大きさ
４２  理想の卵型の大きさ
４３  目頭を横切る水平線
【図１】
2015136497.tif 000003
【図２】
2015136497.tif 000004
【図３】
2015136497.tif 000005
【図４】
2015136497.tif 000006
【図５】
2015136497.tif 000007
【図６】
2015136497.tif 000008